(57)【要約】【課題】コストの上昇を抑えてケーブルの抜けや破損を防止することができる電子機器およびプリント基板ユニットを提供する。【解決手段】第１面と、第１面の裏面である第２面と、第１面上に実装されたコネクタと、第１面と第２面間に形成された基板を貫通する貫通穴もしくは基板の縁部分に形成された窪みと、を有するプリント基板と、コネクタに着脱可能に装着される第１端子と、第１端子と第２端子間に位置する結線部分とを有し、コネクタに第１端子が装着された状態で結線部分が貫通穴もしくは窪みに挿通され前記プリント基板の前記第１面から前記第２面に延びるケーブルと、プリント基板およびケーブルを収容する筐体とを備えた。【選択図】        図９
2009134932.tif 000002
【特許請求の範囲】
【請求項１】
電子機器において、
第１面と、前記第１面の裏面である第２面と、前記第１面上に実装されたコネクタと
前記第１面と前記第２面間に形成された当該基板を貫通する貫通穴もしくは当該基板の縁部分に形成された窪みと、を有するプリント基板と、
前記コネクタに着脱可能に装着される第１端子と、前記第１端子と第２端子間に位置する結線部分とを有し、前記コネクタに前記第１端子が装着された状態で該結線部分が前記貫通穴もしくは前記窪みに挿通され前記プリント基板の前記第１面から前記第２面に延びるケーブルと、
前記プリント基板および前記ケーブルを収容する筐体と、
を備えることを特徴とする電子機器。
【請求項２】
前記筐体はその内部に、第１面と、前記第１面の裏面である第２面と、前記第１面と前記第２面間に形成された当該フレームを貫通する貫通穴もしくは当該フレームの縁部分に形成された窪みと、を有するフレームを有し、
前記ケーブルの結線部分は、前記プリント基板の前記貫通穴もしくは前記窪みに挿通されると共に前記フレームの前記貫通穴もしくは前記窪みに挿通されることを特徴とする請求項１記載の電子機器。
【請求項３】
前記ケーブルは、複数の導体がその長手方向に対して垂直方向に配列され所定幅の前記結線部分を形成したフラットケーブルであり、
前記プリント基板の前記貫通穴もしくは前記窪みは、少なくとも前記フラットケーブルの結線部分の幅と同長の直線部分を有する長穴もしくは窪みである、ことを特徴とする請求項１または２記載の電子機器。
【請求項４】
前記コネクタは、該コネクタの長手方向に配列され且つ前記フラットケーブルの装着時に前記複数の導体が電気的に接続される複数の端子を有し、
前記長穴もしくは前記窪みの直線部分は、前記コネクタの長手方向に平行であり且つ該長手方向に対して垂直方向に見て少なくとも前記コネクタの前記複数の端子が形成する幅と同長な部分を有する、ことを特徴とする請求項３記載の電子機器。
【請求項５】
前記筐体は、少なくとも前面筐体と該前面筐体に組み立てられる背面側筐体を含み、
前記筐体は、前記プリント基板の前記第１面が前記前面筐体側になるようにして前記プリント基板を収容し、前記プリント基板の前記第２面と前記背面筐体間に前記プリント基板を遮蔽した状態で他の搭載部品を収容した、ことを特徴とする請求項１乃至４のいずれか１項に記載の電子機器。
【請求項６】
前記フラットケーブルは、前記導体が平板導体であるフレキシブルフラットケーブルである請求項３または４記載の電子機器。
【請求項７】
プリント基板ユニットにおいて、
第１面と、前記第１面の裏面である第２面と、前記第１面上に実装されたコネクタと、前記第１面と前記第２面間に形成された当該基板を貫通する貫通穴もしくは当該基板の縁部分に形成された窪みと、を有するプリント基板と、
前記コネクタに着脱可能に装着される第１端子と、前記第１端子と第２端子間に位置する結線部分とを有し、前記コネクタに前記第１端子が装着された状態で該結線部分が前記貫通穴もしくは前記窪みに挿通され前記プリント基板の前記第１面から前記第２面に延びるケーブルと、
を備えることを特徴とするプリント基板ユニット。
【請求項８】
前記ケーブルは、複数の導体がその長手方向に対して垂直方向に配列され所定幅の前記結線部分を形成したフラットケーブルであり、
前記プリント基板の前記貫通穴もしくは前記窪みは、少なくとも前記フラットケーブルの結線部分の幅と同長の直線部分を有する長穴もしくは窪みである、ことを特徴とする請求項７記載のプリント基板ユニット。
【請求項９】
前記コネクタは、該コネクタの長手方向に配列され且つ前記フラットケーブルの装着時に前記複数の導体が電気的に接続される複数の端子を有し、
前記長穴もしくは前記窪みの直線部分は、前記コネクタの長手方向に平行であり且つ該長手方向に対して垂直方向に見て少なくとも前記コネクタの前記複数の端子が形成する幅と同長な部分を有する、ことを特徴とする請求項８記載のプリント基板ユニット。
【請求項１０】
前記フラットケーブルは、前記導体が平板導体であるフレキシブルフラットケーブルである請求項８または９記載のプリント基板ユニット。
【発明の詳細な説明】
【技術分野】
【０００１】
本発明は、プリント基板と、プリント基板のコネクタに装着されるケーブルとを有する電子機器およびプリント基板ユニットに関する。
【背景技術】
【０００２】
パーソナルコンピュータの分野においては、装置の小型・軽量化と、表示画面の大型化との両立が要求されている。このような要求を実現するため、薄型で軽量な液晶パネルを使った表示装置を適用したり、光源や制御基板等を液晶パネルの脇ではなく裏側に配置し、筐体と液晶パネルとの間の隙間が狭まった分だけ表示画面を広げることなどが行われている。また、ＣＰＵやハードディスクなどと表示装置とを同じ筐体内に搭載した本体一体タイプのデスクトップ型パーソナルコンピュータもでてきており、持ち運ぶことが想定されるラップトップ型のパーソナルコンピュータだけではなく、据え置きタイプのパーソナルコンピュータにおいても、小型・軽量化がすすんできている。
【０００３】
ところで、装置の小型・軽量化と表示画面の大型化とを両立させようとすると、液晶パネル、ハードディスク、冷却ファン、電源装置、および各種基板などが筐体内に重ねて隙間なく配置される傾向があり、それらを接続するためのケーブルが複雑に配線されることとなる。近年では、配線の簡素化やケーブルの小型・軽量化のために、複数の導線が幅方向に並べて配列されたフラットケーブルや、絶縁フィルム上に導体箔をプリントしたフレキシブルプリント基板が適用されてきているが、フラットケーブルやフレキシブルプリント基板などは、引っ張られたり、端子付近がねじれたりすると、コネクタから抜けてしまったり、破損してしまう恐れがある。上述したように、パーソナルコンピュータの内部には、液晶パネルやハードディスクなどが重ねて配置されているため、修理などの際に意図せずにケーブルに外力が加わって抜けや破損が生じても、不具合の発生箇所を発見しづらいうえ、ケーブルを装着しなおす作業に大変な手間がかかってしまう。
【０００４】
この点に関し、ジャンパー線を使ってケーブルを本体に固定したり（特許文献１参照）、ソケットやコネクタにフックなどを付けてケーブルを固定する（特許文献２および特許文献３参照）ことが提案されている。コネクタに装着されたケーブルを本体やコネクタなどに固定しておくことによって、ケーブルに外力がかかってしまっても、ケーブルがコネクタから抜けてしまう不具合を防止することができる。
【特許文献１】実開平５−４６０７２号公報
【特許文献２】特開平１１−６７３３４号公報
【特許文献３】特開平１１−１３５１８８号公報
【発明の開示】
【発明が解決しようとする課題】
【０００５】
しかし、特許文献１に記載された方法では、ケーブルをコネクタに装着しなおすときには、新たなジャンパー線を取り付けなければならないため、コストがかかってしまったり、装置内にジャンパー線を取り付けるためのスペースや機構を用意しておく必要があるため、装置が大型化してしまうという問題がある。また、特許文献２および特許文献３に記載された方法では、フックが取り付けられた特殊なコネクタが利用されるため、汎用のコネクタを流用することができなくなってしまい、コストが上昇してしまう。
【０００６】
上述した問題は、パーソナルコンピュータに限らず、基板やケーブル等が搭載された電子機器などに一般に当てはまるものである。
【０００７】
上記事情に鑑み、コストの上昇を抑えてケーブルの抜けを防止することができる電子機器およびプリント基板ユニットを提供する。
【課題を解決するための手段】
【０００８】
上記目的を達成するプリント基板ユニットの基本形態は、
第１面と、第１面の裏面である第２面と、第１面上に実装されたコネクタと、第１面と第２面間に形成された基板を貫通する貫通穴もしくは基板の縁部分に形成された窪みと、を有するプリント基板と、
コネクタに着脱可能に装着される第１端子と、第１端子と第２端子間に位置する結線部分とを有し、コネクタに第１端子が装着された状態で結線部分が貫通穴もしくは窪みに挿通され前記プリント基板の前記第１面から前記第２面に延びるケーブルと、
を備えている。
【０００９】
また、上記目的を達成する電子機器の基本形態は、
上述したプリント基板ユニットの基本形態と、
プリント基板およびケーブルを収容する筐体と、
を備えている。
【００１０】
これらの基本形態では、プリント基板の、コネクタが設けられた第１面の裏面である第２面に延びたケーブルが引っ張られると、ケーブルの第１端子に第１面から第２面に向かう方向の力がかかり、第１端子がコネクタに押し付けられる。また、ケーブルが横方向に振られた場合は、プリント基板に設けられた貫通孔や窪みによってケーブルの動きが規制されて、ケーブルのねじれが防止される。このため、したがって、ジャンパー線や、フック付きの特殊なコネクタなどを新たに用意する必要がなく、コストの上昇を抑えてケーブルの抜けを防止することができる。
【００１１】
また、上記基本形態に対し、
上記筐体はその内部に、第１面と、第１面の裏面である第２面と、第１面と第２面間に形成されたフレームを貫通する貫通穴もしくはフレームの縁部分に形成された窪みと、を有するフレームを有し、
上記ケーブルの結線部分は、プリント基板の貫通穴もしくは窪みに挿通されると共にフレームの貫通穴もしくは窪みに挿通されるという応用形態は好ましい。
【００１２】
通常、筐体内には、プリント基板などを固定したり、保護するためのフレームが用意されていることが一般的である。プリント基板だけではなく、フレームにも貫通孔や窪みなどが形成されることによって、ケーブルをフレームの脇などに寄せずに、貫通孔や窪みなどに通すことができ、ケーブルの配線が容易になるとともに、さらに確実にケーブルの抜けを防止することができる。
【００１３】
また、上記基本形態に対し、
上記ケーブルは、複数の導体がその長手方向に対して垂直方向に配列され所定幅の結線部分を形成したフラットケーブルであり、
上記プリント基板の貫通穴もしくは窪みは、少なくともフラットケーブルの結線部分の幅と同長の直線部分を有する長穴もしくは窪みであるという応用形態は好ましい。
【００１４】
この好適な応用形態によると、フラットケーブルを折り曲げずにプリント基板の貫通穴や窪みで保持することができ、フラットケーブルの抜けや破損などを軽減することができる。
【００１５】
また、ケーブルとしてフラットケーブルが適用された応用形態に対し、
上記コネクタは、コネクタの長手方向に配列され且つフラットケーブルの装着時に複数の導体が電気的に接続される複数の端子を有し、
長穴もしくは窪みの直線部分は、コネクタの長手方向に平行であり且つ長手方向に対して垂直方向に見て少なくともコネクタの複数の端子が形成する幅と同長な部分を有するという応用形態はさらに好適である。
【００１６】
プリント基板に、コネクタの長手方向に平行で、少なくともコネクタの幅と同長な部分を有する長穴や窪みが設けられることによって、コネクタに装着されたフラットケーブルがねじられずに長穴や窪みに保持されるため、フラットケーブルの破損などを確実に抑えることができる。
【００１７】
また、上記基本形態に対し、
上記筐体は、少なくとも前面筐体と前面筐体に組み立てられる背面側筐体を含み、
上記筐体は、プリント基板の第１面が前面筐体側になるようにしてプリント基板を収容し、プリント基板の第２面と背面筐体間にプリント基板を遮蔽した状態で他の搭載部品を収容したという応用形態は好ましい。
【００１８】
この応用形態では、搭載部品によってプリント基板が遮蔽されているため、ケーブルがコネクタから外れてしまうと装着しなおすことが困難であるが、ケーブルがプリント基板の貫通穴や窪みに挿通されることによって、修理などでケーブルに外力がかかってしまっても、ケーブルの抜けなどを防止することができる。
【００１９】
また、ケーブルとしてフラットケーブルが適用された応用形態に対し、
上記フラットケーブルは、導体が平板導体であるフレキシブルフラットケーブルであるという応用形態は好適であり、
上記フラットケーブルは、フレキシブルプリント基板であるという応用形態も好ましい。
【００２０】
近年、小型・軽量なケーブルとしてフレキシブルフラットケーブルやフレキシブルプリント基板が広く利用されているが、これらのフラットケーブルはねじれによってコネクタから外れてしまいやすいという問題がある。上記基本形態によると、プリント基板の貫通孔や窪みによって、特にケーブルの動きが規制されるため、フレキシブルフラットケーブルやフレキシブルプリント基板においても、ケーブルの抜けや破損を確実に防止することができる。
【発明の効果】
【００２１】
以上説明したように、電子機器およびプリント基板ユニットの基本形態によれば、コストの上昇を抑えてケーブルの抜けや破損を防止することができる。
【発明を実施するための最良の形態】
【００２２】
以下、図面を参照して、上記説明した電子機器およびプリント基板ユニットに対する具体的な実施形態を説明する。
【００２３】
図１は、電子機器の具体的な第１実施形態であるパーソナルコンピュータ１００の外観図である。
【００２４】
このパーソナルコンピュータ１００は、情報を表示する表示装置と、ハードディスク装置やＣＰＵなどが同じ筐体内に一緒に搭載された本体一体型のパーソナルコンピュータである。尚、実際には、パーソナルコンピュータ１００にはキーボードやマウスなども接続されるが、図１では図示を省略している。
【００２５】
図１には、パーソナルコンピュータ１００を前方から見た図が示されている。パーソナルコンピュータ１００は、上前方ケース１１Ａ、上後方ケース１１Ｂ、下前方ケース１２Ａ、および下後方ケース１２Ｂによって構成された空間内に、表面に表示画面２１が広がった液晶パネル、ＣＰＵ、ハードディスク装置、冷却ファン、電源装置、各種基板、およびそれらを相互に接続するケーブルなどが収容されている。上前方ケース１１Ａ、上後方ケース１１Ｂ、下前方ケース１２Ａ、および下後方ケース１２Ｂを合わせたものは、上述した基本形態における筐体の一例に相当する。
【００２６】
パーソナルコンピュータ１００の一側面には、ＣＤやＤＶＤ等の光ディスクを装填するための光ディスク装填口３１と、フレキシブルディスク（以下では、ＦＤと称する）を装填するためのＦＤ装填口３２が設けられている。
【００２７】
図２は、パーソナルコンピュータ１００の側面図であり、図３は、パーソナルコンピュータ１００の背面図である。
【００２８】
パーソナルコンピュータ１００は、上前方ケース１１Ａに上後方ケース１１Ｂが取り付けられ、下前方ケース１２Ａに下後方ケース１２Ｂが取り付けられている。上前方ケース１１Ａと下前方ケース１２Ａを合わせたものは、上述した応用形態における前面筐体の一例にあたり、上後方ケース１１Ｂと下後方ケース１２Ｂを合わせたものは、上述した応用形態における背面側筐体の一例に相当する。
【００２９】
上前方ケース１１Ａには、表示画面２１を前面にして液晶パネルが嵌め込まれており、表示画面２１の背面側に、ハードディスク装置や各種基板などが収容されている。また、パーソナルコンピュータ１００の背面には、電源を投入するための電源スイッチ４０や、ＬＡＮカードなどといった機能拡張用の拡張カードを装填するための拡張カード装填口３３が設けられている。
【００３０】
図４は、パーソナルコンピュータ１００の底面図である。
【００３１】
パーソナルコンピュータ１００内部の上方には、交換可能なハードディスク装置などが収容されており、下方には、通常は交換されない基板などがフレームなどに保護されて収容されている。例えば、下前方ケース１２Ａは交換可能なプラスチックのカバーであるが、金属製の板金フレーム（図８参照）にプリント基板が取り付けられ、板金フレームが下前方ケース１２Ａにネジ５０で固定されている。通常の修理では、上前方ケース１１Ａから上後方ケース１１Ｂのみが取り外されて、パーソナルコンピュータ１００内部の上方に収容されたハードディスク装置の交換などが行われる。
【００３２】
図５は、パーソナルコンピュータ１００の内部構成図である。
【００３３】
パーソナルコンピュータ１００には、図５に示すように、各種プログラムを実行するＣＰＵ１０１、ハードディスク装置１０３に格納されたプログラムが読み出されＣＰＵ１０１での実行のために展開される主メモリ１０２、各種プログラムやデータ等が保存されたハードディスク装置１０３、音声信号を生成して音声を出力するスピーカデバイス１０４、外部装置からデータを入力する入力インタフェース１０５、キーボードやトラックパッドなどを含む操作子１０６、表示画面２１上に情報を表示に関する表示装置１０７、ＦＤ６１が装填され、その装填されたＦＤ６１をアクセスするＦＤドライブ１０８、ＣＤ−ＲＯＭ６２やＤＶＤが装填され、その装填されたＣＤ−ＲＯＭ６２やＤＶＤをアクセスするＣＤ／ＤＶＤドライブ１０９、外部装置へデータを出力する出力インタフェース１１０、および拡張カード６３を使って通信を行う通信インタフェース１１１などが内蔵されており、これらの各種要素は、バス１１２を介して相互に接続されている。
【００３４】
ここで、パーソナルコンピュータ１００は、液晶パネルの裏側にハードディスク装置１０３やＣＰＵ１０１などが重ねて配置されており、さらに、通常の修理では交換されることが少ない制御基板などは、下前方ケース１２Ａの裏側に配置されてフレームなどによって隠蔽されている。このように、上前方ケース１１Ａから上後方ケース１１Ｂを取り外しても、筐体内に収容されている全ての要素を確認することはできないため、本実施形態のパーソナルコンピュータ１００には、予め、修理時にかかる外力などによってケーブルが抜けてしまう不具合を防止するための対策が施されている。
【００３５】
図６は、上後方ケース１１Ｂを取り外したパーソナルコンピュータ１００の背面図である。
【００３６】
図６に示すように、上前方ケース１１Ａには、図１に示す表示画面２１を前面にして液晶パネル２１０が嵌め込まれており、液晶パネル２１０の裏面側には、液晶パネル２１０を制御する制御基板２１１や、図５にも示す通信インタフェース１１１や、ハードディスク装置１０３などが搭載されたメイン基板２２０や、電力を制御するための電源装置２３０などが重ねて配置されている。また、上前方ケース１１Ａおよび上後方ケース１１Ｂと、下前方ケース１２Ａおよび下後方ケース１２Ｂとの間は、フレーム２４０によって仕切られており、そのフレーム２４０の下には、図５に示すスピーカデバイス１０４や各種スイッチなどが搭載されたプリント基板２６０（図７および図８参照）が収容されている。本実施形態においては、メイン基板２２０とプリント基板２６０が平板導体を有する幅広のフレキシブルフラットケーブル２５０（以下では、フラットケーブル２５０と省略する）によって接続されている。フレーム２４０は、上述した応用形態におけるフレームの一例に相当する。また、フラットケーブル２５０は、上述した基本形態におけるケーブルの一例にあたるとともに、上述した応用形態におけるフラットケーブルの一例にも相当する。尚、フラットケーブル２５０に替えて、電線材で構成されたケーブルや、フレキシブルプリント基板などを適用してもよいが、幅広なフラットケーブル２５０の場合、ねじれによってフラットケーブル２５０がコネクタから抜けてしまいやすいという特徴があるため、本実施形態に適用することによって大きな効果を得ることができる。
【００３７】
プリント基板２６０に装着されたフラットケーブル２５０は、フレーム２４０に設けられた貫通孔２４１を通って、メイン基板２２０に備えられたコネクタ２２１に装着されている。
【００３８】
図７は、上後方ケース１１Ｂと下後方ケース１２Ｂを取り外したパーソナルコンピュータ１００の背面図である。
【００３９】
図７に示すように、下前方ケース１２Ａの裏側には冷却ファン２７０が設けられており、図７では見えていないが、電源装置２３０と冷却ファン２７０との間には、図５に示すＣＰＵ１０１が配置されている。電源装置２３０やＣＰＵ１０１で発生した熱は、冷却ファン２７０から取り込まれた外気によって冷却される。また、フレーム２４０の下方には、下前方ケース１２Ａに装着されたプリント基板２６０が収容されており、プリント基板２６０に装着されたフラットケーブル２５０は、フレーム２４０に設けられた窪み２４２と図６に示す貫通孔２４１とを通って、フレーム２４０の上方に配線されている。プリント基板２６０は、上述した基本形態におけるプリント基板の一例に相当する。
【００４０】
図８は、下前方ケース１２Ａに装着されたプリント基板２６０を示す図である。
【００４１】
プリント基板２６０は、下前方ケース１２Ａが装着された板金フレーム２５５を介して、フラットケーブル２５０用のコネクタ２６２（図９参照）が設けられた表面を下前方ケース１２Ａに向けて取り付けられている。フラットケーブル２５０は、プリント基板２６０のコネクタ２６２に装着される第１端子２５３（図１１参照）と、図７に示すメイン基板２２０のコネクタ２２１に装着される第２端子２５１と、それら第１端子２５３と第２端子２５１との間に位置する結線部分２５２とで構成されている。第２端子２５１は、上述した基本形態における第２端子の一例に相当する。第１端子２５３がプリント基板２６０の表面側に設けられたコネクタに装着され、さらに、結線部分２５２が貫通孔２６１を通ってプリント基板２６０の裏面側から図７に示すフレーム２４０の上方にまで延ばされて、第２端子２５１が図７に示すメイン基板２２０のコネクタ２２１に装着される。
【００４２】
ここで、プリント基板２６０は、コネクタを下前方ケース１２Ａに向けて装着されており、さらに、図７に示すように、プリント基板２６０の裏面側には冷却ファン２７０などが取り付けられている。このため、プリント基板２６０が遮蔽されてしまっており、フラットケーブル２５０がプリント基板２６０から外れてしまうと、その不具合を発見しづらいうえ、フラットケーブル２５０を装着しなおす作業に大変な手間がかかってしまう
図９は、プリント基板２６０の、表面側の拡大図である。
【００４３】
プリント基板２６０の表面側には、フラットケーブル２５０の端子２５１が装着されるコネクタ２６２が備えられており、コネクタ２６２の近傍には、図８にも示す貫通孔２６１が設けられている。本実施形態においては、コネクタ２６２は、複数の端子２６２ａが一方向に並んだ長手形状を有しており、貫通孔２６１は、コネクタ２６２の長手方向の長さよりも数ｍｍ程度長く、コネクタ２６２と平行な長孔形状を有している。コネクタ２６２は、上述した基本形態におけるコネクタの一例にあたり、複数の端子２６２ａは、上述した応用形態における複数の端子の一例にあたり、貫通孔２６１は、上述した基本形態における「基板を貫通する貫通穴」の一例に相当する。
【００４４】
図１０は、プリント基板２６０に装着されたフラットケーブル２５０を示す図であり、図１１は、コネクタ２６２および第１端子２５３にかかる力を説明するための図である。
【００４５】
フラットケーブル２５０は、プリント基板２６０の表面側で第１端子２５３がコネクタ２６２に装着され、貫通孔２６１を通ってプリント基板２６０の裏面側に配線される。第１端子２５３は、上述した基本形態における第１端子の一例に相当する。
【００４６】
フラットケーブル２５０は、貫通孔２６１に挿通されることによって、プリント基板２６０の、コネクタ２６２が装着された表面に対する裏面に延ばされている。このため、フラットケーブル２５０が引っ張られると、フラットケーブル２５０の先端に設けられた第１端子２５３には図１１の下方向の力がかかり、コネクタ２６２からの抜けが防止される。また、幅広なフラットケーブル２５０は、コネクタ２６２に装着された第１端子２５２付近がねじれてしまうと、コネクタ２６２から抜けてしまったり、破損してしまう恐れがある。本実施形態においては、貫通孔２６１によってフラットケーブル２５０の幅方向の動きが規制されるため、修理時などにフラットケーブル２５０が横方向に振られてしまっても、第１端子２５３の抜けを軽減することができる。さらに、コネクタ２６２に平行でコネクタ２６２の幅以上の長さを有する貫通孔２６１が設けられることによって、コネクタ２６２に装着されたフラットケーブル２５０がねじれずにまっすぐな状態で貫通孔２６１を通ることとなり、フラットケーブル２５０の破損を軽減することができる。
【００４７】
図１１には、フラットケーブル２５０が貫通孔２６１の長手方向と垂直な方向に引っ張られた状態が示されている。図１１（Ａ）および図１１（Ｂ）に示すように、フラットケーブル２５０が矢印Ａ，Ｂ方向に引っ張られると、フラットケーブル２５０の結線部分２５２が貫通孔２６１のエッジＥに突き当たり、エッジＥが作用点となってフラットケーブル２５０の第１端子２５３やプリント基板２６０のコネクタ２６２にかかる負荷が軽減される。このように、貫通孔２６１によって、フラットケーブル２５０の撓みも抑えることができ、フラットケーブル２５０の抜けや、第１端子２５３およびコネクタ２６２の破損などを防止することができる。
【００４８】
また、図１０に示すように、フレーム２４０には、フラットケーブル２５０の幅と同程度の幅を有する窪み２４２と、フラットケーブル２５０の幅よりも長い長孔形状を有する貫通孔２４１とが設けられており、プリント基板２６０の裏面側に通されたフラットケーブル２５０は、窪み２４２および貫通孔２４１を通って上方のメイン基板２２０に接続される。フレーム２４０の窪み２４２および貫通孔２４１は、角が丸く形成されており、金属製のフレーム２４０によってフラットケーブル２５０に与えられるダメージを軽減して、フラットケーブル２５０を保持することができる。
【００４９】
以上のように、本実施形態のパーソナルコンピュータ１００によると、プリント基板２６０やフレーム２４０に設けられた貫通孔や窪みによってフラットケーブル２５０の動きが規制されるため、ジャンパー線やフック付きの特別なコネクタなどを用意する必要がなく、コストを抑えてフラットケーブルの抜けや破損を防止することができる。
【００５０】
以上で、電子機器の具体的な第１実施形態の説明を終了し、電子機器の具体的な第２実施形態について説明する。第２実施形態については、プリント基板に貫通孔ではなく窪みが設けられている点を除いては第１実施形態と同様の構成を有しているため、同じ要素については同じ符号を付して説明を省略し、第１実施形態との相違点についてのみ説明する。
【００５１】
図１２は、電子機器の具体的な第２実施形態であるパーソナルコンピュータに適用されるプリント基板３１０の裏面側の拡大図である。
【００５２】
本実施形態のプリント基板３１０では、図９に示す第１実施形態のプリント基板２６０とは異なり、コネクタ２６２の近傍に、貫通孔２６１ではなく窪み３１１が設けられている。窪み３１１は、上述した基本形態における「基板の縁部分に形成された窪み」の一例に相当する。
【００５３】
窪み３１１も、図９に示す貫通孔２６１と同様に、コネクタ２６２の長手方向の長さよりも数ｍｍ程度長く、コネクタ２６２と平行に形成されている。
【００５４】
このように、プリント基板３１０に貫通孔ではなく窪み３１１を形成することによっても、ケーブルの動きが規制されるため、ケーブルの破損や抜けを防止することができる。しかし、プリント基板３１０に窪み３１１を形成する場合、ケーブルが引っ張られたときに窪み３１１の口部分３１２がケーブルに負荷を与えてしまうことがあるため、プリント基板に貫通孔を設ける方が好ましい。また、プリント基板に貫通孔を設ける場合、窪みを形成する場合と比較して製造が容易であったり、プリント基板の強度が高いというメリットもある。
【００５５】
以上で、電子機器の具体的な第２実施形態の説明を終了し、電子機器の具体的な第３実施形態について説明する。第３実施形態は、プリント基板に形成された窪みの形状が第２実施形態と異なる。
【００５６】
図１３は、電子機器の具体的な第３実施形態であるパーソナルコンピュータに適用されるプリント基板３２０の裏面側の拡大図である。
【００５７】
本実施形態のプリント基板３２０では、図１２に示す第２実施形態のプリント基板３１０に設けられた窪み３１１とは異なり、切り欠き３１１が設けられている。切り欠き３１１も、上述した基本形態における「基板の縁部分に形成された窪み」の一例に相当する。
【００５８】
図１３に示すプリント基板３２０では、切り欠き３１１が設けられた側の縁がフレーム２４０に突き当てられており、プリント基板３２０とフレーム２４０とによって貫通孔が形成されている。このように、プリント基板３２０に切り欠き３１１を設けて、他の部材をプリント基板３２０の縁に突き当てることによって、図１２に示すような窪み３１１の口部分３１２がなくなり、プリント基板３２０に貫通孔を設ける場合と同様な効果を得ることができる。
【００５９】
ここで、上記では、「課題を解決するための手段」で説明した電子機器の一例としてパーソナルコンピュータが示されているが、この電子機器は、プリント基板にケーブルが装着されるものであれば、テレビや携帯電話機などであってもよい。
【００６０】
また、上記では、「課題を解決するための手段」で説明したケーブルの一例としてフレキシブルフラットケーブルが示されているが、このケーブルは、フレキシブルフラットケーブル以外にも、電線材で構成されたケーブルや、フレキシブルプリント基板などであってもよい。
【００６１】
以下、本発明の各種形態について付記する。
【００６２】
（付記１）
電子機器において、
第１面と、前記第１面の裏面である第２面と、前記第１面上に実装されたコネクタと
前記第１面と前記第２面間に形成された当該基板を貫通する貫通穴もしくは当該基板の縁部分に形成された窪みと、を有するプリント基板と、
前記コネクタに着脱可能に装着される第１端子と、前記第１端子と第２端子間に位置する結線部分とを有し、前記コネクタに前記第１端子が装着された状態で該結線部分が前記貫通穴もしくは前記窪みに挿通され前記プリント基板の前記第１面から前記第２面に延びるケーブルと、
前記プリント基板および前記ケーブルを収容する筐体と、
を備えることを特徴とする電子機器。  
【００６３】
（付記２）
前記筐体はその内部に、第１面と、前記第１面の裏面である第２面と、前記第１面と前記第２面間に形成された当該フレームを貫通する貫通穴もしくは当該フレームの縁部分に形成された窪みと、を有するフレームを有し、
前記ケーブルの結線部分は、前記プリント基板の前記貫通穴もしくは前記窪みに挿通されると共に前記フレームの前記貫通穴もしくは前記窪みに挿通されることを特徴とする付記１記載の電子機器。  
【００６４】
（付記３）
前記ケーブルは、複数の導体がその長手方向に対して垂直方向に配列され所定幅の前記結線部分を形成したフラットケーブルであり、
前記プリント基板の前記貫通穴もしくは前記窪みは、少なくとも前記フラットケーブルの結線部分の幅と同長の直線部分を有する長穴もしくは窪みである、ことを特徴とする付記１または２記載の電子機器。  
【００６５】
（付記４）
前記コネクタは、該コネクタの長手方向に配列され且つ前記フラットケーブルの装着時に前記複数の導体が電気的に接続される複数の端子を有し、
前記長穴もしくは前記窪みの直線部分は、前記コネクタの長手方向に平行であり且つ該長手方向に対して垂直方向に見て少なくとも前記コネクタの前記複数の端子が形成する幅と同長な部分を有する、ことを特徴とする付記３記載の電子機器。
【００６６】
（付記５）
前記筐体は、少なくとも前面筐体と該前面筐体に組み立てられる背面側筐体を含み、
前記筐体は、前記プリント基板の前記第１面が前記前面筐体側になるようにして前記プリント基板を収容し、前記プリント基板の前記第２面と前記背面筐体間に前記プリント基板を遮蔽した状態で他の搭載部品を収容した、ことを特徴とする付記１乃至４のいずれか１項に記載の電子機器。
【００６７】
（付記６）
前記フラットケーブルは、前記導体が平板導体であるフレキシブルフラットケーブルである付記３または４記載の電子機器。
【００６８】
（付記７）
前記フラットケーブルは、フレキシブルプリント基板である付記１乃至５のいずれか１項に記載の電子機器。
【００６９】
（付記８）
プリント基板ユニットにおいて、
第１面と、前記第１面の裏面である第２面と、前記第１面上に実装されたコネクタと、前記第１面と前記第２面間に形成された当該基板を貫通する貫通穴もしくは当該基板の縁部分に形成された窪みと、を有するプリント基板と、
前記コネクタに着脱可能に装着される第１端子と、前記第１端子と第２端子間に位置する結線部分とを有し、前記コネクタに前記第１端子が装着された状態で該結線部分が前記貫通穴もしくは前記窪みに挿通され前記プリント基板の前記第１面から前記第２面に延びるケーブルと、
を備えることを特徴とするプリント基板ユニット。
【００７０】
（付記９）
前記ケーブルは、複数の導体がその長手方向に対して垂直方向に配列され所定幅の前記結線部分を形成したフラットケーブルであり、
前記プリント基板の前記貫通穴もしくは前記窪みは、少なくとも前記フラットケーブルの結線部分の幅と同長の直線部分を有する長穴もしくは窪みである、ことを特徴とする付記８記載のプリント基板ユニット。
【００７１】
（付記１０）
前記コネクタは、該コネクタの長手方向に配列され且つ前記フラットケーブルの装着時に前記複数の導体が電気的に接続される複数の端子を有し、
前記長穴もしくは前記窪みの直線部分は、前記コネクタの長手方向に平行であり且つ該長手方向に対して垂直方向に見て少なくとも前記コネクタの前記複数の端子が形成する幅と同長な部分を有する、ことを特徴とする付記９記載のプリント基板ユニット。
【００７２】
（付記１１）
前記フラットケーブルは、前記導体が平板導体であるフレキシブルフラットケーブルである付記９または１０記載のプリント基板ユニット。
【００７３】
（付記１２）
前記フラットケーブルは、フレキシブルプリント基板である付記９または１０記載のプリント基板ユニット。
【図面の簡単な説明】
【００７４】
【図１】電子機器の具体的な第１実施形態であるパーソナルコンピュータの外観図である。
【図２】パーソナルコンピュータの側面図である。
【図３】パーソナルコンピュータの背面図である。
【図４】パーソナルコンピュータの底面図である。
【図５】パーソナルコンピュータの内部構成図である。
【図６】上後方ケースを取り外したパーソナルコンピュータの背面図である。
【図７】上後方ケースと下後方ケースを取り外したパーソナルコンピュータの背面図である。
【図８】下前方ケースに装着されたプリント基板を示す図である。
【図９】プリント基板の表面側の拡大図である。
【図１０】プリント基板に装着されたフラットケーブルを示す図である。
【図１１】コネクタおよび端子にかかる力を説明するための図である。
【図１２】電子機器の具体的な第２実施形態であるパーソナルコンピュータに適用されるプリント基板の裏面側の拡大図である。
【図１３】電子機器の具体的な第３実施形態であるパーソナルコンピュータに適用されるプリント基板の裏面側の拡大図である。
【符号の説明】
【００７５】
１００    パーソナルコンピュータ
１１Ａ    上前方ケース
１１Ｂ    上後方ケース
１２Ａ    下前方ケース
１２Ｂ    下後方ケース
２１    表示画面
３１    光ディスク装填口
３２    ＦＤ装填口
３３    拡張カード装填口
１０１    ＣＰＵ
１０２    主メモリ
１０３    ハードディスク装置
１０４    スピーカデバイス
１０５    入力インタフェース
１０６    操作子
１０７    表示装置
１０８    ＦＤドライブ
１０９    ＣＤ／ＤＶＤドライブ
１１０    出力インタフェース
１１１    通信インタフェース
１１２    バス
２１０    液晶パネル
２１１    制御基板
２２０    メイン基板
２２１    コネクタ
２３０    電源装置
２４０    フレーム
２４１    貫通孔
２４２    窪み
２５０    フラットケーブル
２６０    プリント基板
２６１    貫通孔
２６２    コネクタ
２７０    冷却ファン
【図１】
2009134932.tif 000003
【図２】
2009134932.tif 000004
【図３】
2009134932.tif 000005
【図４】
2009134932.tif 000006
【図５】
2009134932.tif 000007
【図６】
2009134932.tif 000008
【図７】
2009134932.tif 000009
【図８】
2009134932.tif 000010
【図９】
2009134932.tif 000011
【図１０】
2009134932.tif 000012
【図１１】
2009134932.tif 000013
【図１２】
2009134932.tif 000014
【図１３】
2009134932.tif 000015